(57)【特許請求の範囲】
【請求項１】
無線通信システムにおけるモビリティ管理エンティティ（ＭＭＥ）の接続制御方法において、
基地局（ｅＮＢ）から、前記ｅＮＢのＣＳＧ（Ｃｌｏｓｅｄ  Ｓｕｂｓｃｒｉｂｅｄ  Ｇｒｏｕｐ）  ＩＤと共にユーザ端末（ＵＥ）の識別子を含む接続要請メッセージを受信する過程と、
前記ＣＳＧ  ＩＤが前記ＭＭＥ内の許容リストに含まれているか否かをチェックする過程と、
前記ＣＳＧ  ＩＤが前記許容リストに含まれている場合、接続許容メッセージを前記ｅＮＢに送信する過程と、
前記許容リストが存在しない場合、ホーム加入者サーバ（ＨＳＳ）にＣＳＧ加入者情報を要請する過程と、
を含む接続制御方法。
【請求項２】
前記接続要請メッセージが、ＮＡＳ（Ｎｏｎ  Ａｃｃｅｓｓ  Ｓｔｒａｔｕｍ）メッセージであることを特徴とする請求項１に記載の接続制御方法。
【請求項３】
前記接続要請メッセージが、アタッチ要請メッセージ、ＴＡＵ（Ｔｒａｃｋｉｎｇ  Ａｒｅａ  Ｕｐｄａｔｅ）要請メッセージ、及びハンドオーバー要請メッセージのうちの少なくとも１つであることを特徴とする請求項２に記載の接続制御方法。
【請求項４】
前記ＣＳＧ  ＩＤが前記許容リストに含まれていない場合、接続拒絶メッセージを前記ｅＮＢに伝送する過程をさらに含むことを特徴とする請求項３に記載の接続制御方法。
【請求項５】
無線通信システムにおけるホームｅＮＢ（ＨｅＮＢ）の接続制御方法において、
ユーザ端末（ＵＥ）の識別子を含む接続要請メッセージを前記ＵＥから受信する過程と、
前記ＨｅＮＢのＣＳＧ（Ｃｌｏｓｅｄ  Ｓｕｂｓｃｒｉｂｅｄ  Ｇｒｏｕｐ）  ＩＤと共に前記接続要請メッセージをモビリティ管理エンティティ（ＭＭＥ）に転送する過程と、
前記ＣＳＧ  ＩＤが前記ＭＭＥ内の許容リストに含まれている場合、接続許容メッセージを前記ＭＭＥから受信する過程と、
を含み、
前記許容リストが前記ＭＭＥ内に存在しない場合、ＣＳＧ加入者情報が前記ＭＭＥによりホーム加入者サーバ（ＨＳＳ）に要請されることを特徴とする接続制御方法。
【請求項６】
前記接続要請メッセージが、ＮＡＳ（Ｎｏｎ  Ａｃｃｅｓｓ  Ｓｔｒａｔｕｍ）メッセージであることを特徴とする請求項５に記載の接続制御方法。
【請求項７】
前記接続要請メッセージが、アタッチ要請メッセージ、ＴＡＵ（Ｔｒａｃｋｉｎｇ  Ａｒｅａ  Ｕｐｄａｔｅ）要請メッセージ、及びハンドオーバー要請メッセージのうちの少なくとも１つであることを特徴とする請求項６に記載の接続制御方法。
【請求項８】
無線通信システムにおけるユーザ端末（ＵＥ）の接続制御方法において、
ＵＥ識別子を含む接続要請メッセージを基地局（ｅＮＢ）に伝送する過程と、
前記ｅＮＢのＣＳＧ（Ｃｌｏｓｅｄ  Ｓｕｂｓｃｒｉｂｅｄ  Ｇｒｏｕｐ）  ＩＤがモビリティ管理エンティティ（ＭＭＥ）内の許容リストに含まれている場合、前記ｅＮＢから接続許容メッセージを受信する過程と、
を含み、
前記許容リストが前記ＭＭＥ内に存在しない場合、ＣＳＧ加入者情報が前記ＭＭＥによりホーム加入者サーバ（ＨＳＳ）に要請されることを特徴とする接続制御方法。
【請求項９】
前記接続要請メッセージが、ＮＡＳ（Ｎｏｎ  Ａｃｃｅｓｓ  Ｓｔｒａｔｕｍ）メッセージであることを特徴とする請求項８に記載の接続制御方法。
【請求項１０】
前記接続要請メッセージが、アタッチ要請メッセージ、ＴＡＵ（Ｔｒａｃｋｉｎｇ  Ａｒｅａ  Ｕｐｄａｔｅ）要請メッセージ、及びハンドオーバー要請メッセージのうちの少なくとも１つであることを特徴とする請求項９に記載の接続制御方法。
【請求項１１】
前記ＣＳＧ  ＩＤが前記許容リストに含まれていない場合、接続拒絶メッセージを前記ｅＮＢから受信する過程をさらに含むことを特徴とする請求項１０に記載の接続制御方法。
【請求項１２】
無線通信システムにおける接続制御のためのモビリティ管理エンティティ（ＭＭＥ）であって、
メモリとの通信を行うプロセッサを含み、
前記メモリは、コードを含み、
前記コードは、前記プロセッサによりアクセスされるとき、前記プロセッサが、
基地局（ｅＮＢ）から、前記ｅＮＢのＣＳＧ（Ｃｌｏｓｅｄ  Ｓｕｂｓｃｒｉｂｅｄ  Ｇｒｏｕｐ）  ＩＤと共にユーザ端末（ＵＥ）の識別子を含む接続要請メッセージを受信し、
前記ＣＳＧ  ＩＤが前記ＭＭＥ内の許容リストに含まれているか否かをチェックし、
前記ＣＳＧ  ＩＤが前記許容リストに含まれている場合、接続許容メッセージを前記ｅＮＢに送信するようにし、
前記プロセッサは、前記許容リストが存在しない場合、ホーム加入者サーバ（ＨＳＳ）にＣＳＧ加入者情報を要請することを特徴とするＭＭＥ。
【請求項１３】
前記接続要請メッセージが、ＮＡＳ（Ｎｏｎ  Ａｃｃｅｓｓ  Ｓｔｒａｔｕｍ）メッセージであることを特徴とする請求項１２に記載のＭＭＥ。
【請求項１４】
前記接続要請メッセージが、アタッチ要請メッセージ、ＴＡＵ（Ｔｒａｃｋｉｎｇ  Ａｒｅａ  Ｕｐｄａｔｅ）要請メッセージ、及びハンドオーバー要請メッセージのうちの少なくとも１つであることを特徴とする請求項１３に記載のＭＭＥ。
【請求項１５】
前記プロセッサは、前記ＣＳＧ  ＩＤが前記許容リストに含まれていない場合、接続拒絶メッセージを前記ｅＮＢに伝送することを特徴とする請求項１４に記載のＭＭＥ。
【発明の詳細な説明】
【技術分野】
【０００１】
本発明は、移動通信システムに関し、特にＳＡＥ／ＬＴＥ（Ｓｙｓｔｅｍ  Ａｒｃｈｉｔｅｃｔｕｒｅ  Ｅｎｈａｎｃｅｍｅｎｔ／Ｌｏｎｇ  Ｔｅｒｍ  Ｅｖｏｌｕｔｉｏｎ）システムの接続許容可否を決定する方法及びシステムに関する。
【背景技術】
【０００２】
従来、ＷＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）移動通信システムにおいて、Ｎｏｄｅ  Ｂは、事業者が移動通信通信カバレッジを広げるために、直接設置したネットワーク装備である。最近、Ｎｏｄｅ  Ｂは、陰影地域（ｓｈａｄｏｗ  ａｒｅａ）をカバーするためまたは個人的にイーサネット（登録商標）及びＡＤＳＬ（Ａｓｙｍｍｅｔｒｉｃ  Ｄｉｇｉｔａｌ  Ｌｉｎｅ）などのようなデータ通信網（ｐｕｂｌｉｃ  ｉｎｔｅｒｎｅｔ  ｐｒｏｔｏｃｏｌ  ｎｅｔｗｏｒｋ）を通じて３Ｇ網（３ｒｄ  Ｇｅｎｅｒａｔｉｏｎ  ｃｏｒｅ）に接続するために設置される。そのような基地局をフェムト基地局（Ｆｅｍｔｏ  Ｂａｓｅ  Ｓｔａｔｉｏｎ）と呼び、フェムト基地局によって提供されるセルをフェムトセルと呼ぶ。特に、ＷＣＤＭＡシステムにおいて、前記のような用途として使用されるエンティティ（ｅｎｔｉｔｙ）をＨｏｍｅ  Ｎｏｄｅ  Ｂ（以下、ＨＮＢという）と呼ぶ。ＨＮＢは、従来のＮｏｄｅ  Ｂとは異なって、ＨＮＢを使用することができるように許可された端末（Ｕｓｅｒ  Ｅｑｕｉｐｍｅｎｔ、以下、ＵＥという）だけを接続許容する。ここで、ＵＥの接続許容可否に対する機能を許可制御（ａｄｍｉｓｓｉｏｎ  ｃｏｎｔｒｏｌ）と言う。
【０００３】
図１は、ＷＣＤＭＡにおいてＨＮＢが許可制御を行う過程を示す図である。
図１を参照すれば、ＷＣＤＭＡにおいてＨＮＢまたはＨＧＷは、段階１０４で、事業者のＯＡ＆Ｍ（Ｏｐｅｒａｔｉｏｎｓ，Ａｄｍｉｎｉｓｔｒａｔｉｏｎ，ａｎｄ  Ｍａｉｎｔｅｎａｎｃｅ）過程を通じて、自身が許可制御を行うＵＥの情報、すなわちＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）をあらかじめ格納している。ＯＡ＆Ｍ処理は、よく知られていて、ここでは詳細な説明を省略する。
【０００４】
前記のように、ＨＮＢまたはＨＧＷがＵＥの情報を有している状態で、ＵＥは、ＨＮＢ／ＨＧＷに接続するために、段階１０６で、自身のＩＭＳＩを含むＮＡＳ  ＲｅｑｕｅｓｔをＨＮＢ／ＨＧＷに伝送する。前記ＮＡＳ（Ｎｏｎ  Ａｃｃｅｓｓ  Ｓｔｒａｔｕｍ）が、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムにおいてＵＥとコアネットワーク（Ｃｏｒｅ  Ｎｅｔｗｏｒｋ）との間で使用するシグナリングとトラフィックのためのメッセージ／プロトコルとしてＡｔｔａｃｈ、ＲＡＵ（Ｒｏｕｔｉｎｇ  Ａｒｅａ  Ｕｐｄａｔｅ）などを例示することができる。
【０００５】
ＵＥからＩＭＳＩが含まれたＮＡＳ  Ｒｅｑｕｅｓｔを受信したＨＮＢ／ＨＧＷは、段階１０８で、前記ＩＭＳＩが自身が格納している許可制御ＩＭＳＩ情報に含まれているか否かを確認する。前記ＩＭＳＩがＨＮＢ／ＨＧＷのＩＭＳＩリストに含まれた場合、すなわち、前記ＵＥのＨＮＢ／ＨＧＷ使用が許可された場合、前記ＨＮＢ／ＨＧＷは、段階１１０で、ＮＡＳ  ｒｅｑｅｕｓｔ  ｍｅｓｓａｇｅに応答してＵＥ１００にＮＡＳ  ａｃｃｅｐｔ  ｍｅｓｓａｇｅを送る。その後、ＵＥは、ＨＮＢ／ＨＧＷへの接続を成功し、以後の過程を進行する。逆に、前記ＩＭＳＩがＨＮＢ／ＨＧＷのＩＭＳＩリストに含まれない場合、すなわち、前記ＵＥのＨＮＢ／ＨＧＷ使用が許可されない場合、ＨＮＢ／ＨＧＷは、段階１１２で、ＵＥ１００にＮＡＳ  ｒｅｊｅｃｔ  ｍｅｓｓａｇｅを送る。
【発明の概要】
【発明が解決しようとする課題】
【０００６】
前述したように、従来の場合、ＷＣＤＭＡでは、物理的に独立的であるか、または結合されたＨＮＢ／ＨＧＷがＩＭＳＩに基づいて許可制御をし、ネットワークへのＵＥのアクセスを承認するかまたは拒絶するために、ＨＮＢ／ＨＧＷがＵＥのＩＭＳＩ情報を有していなければならない。すなわち、事業者は、加入者のＩＭＳＩ情報をＨＮＢ／ＨＧＷに入力しなければならない。しかし、加入者を識別する最も重要な情報であるＩＭＳＩを個人が所有するエンティティに格納して置くことは、保安上危険を伴うおそれがあり、ＨＮＢ／ＨＧＷに格納されたＩＭＳＩリストをアップデートすることにも管理費用が多くかかるようになる。
【課題を解決するための手段】
【０００７】
本発明は、移動通信システムにおいて、ネットワークが端末の加入者情報によって、端末によるＳＡＥ／ＬＴＥシステムのＨｅＮＢ基地局への接続を許容すべきかまたは拒否すべきかを決定する方案に関するものである。本発明によれば、ＨｅＮＢまたはＨＧＷが端末機から接続を要請するメッセージを受信すれば、ＨｅＮＢまたはＨＧＷは、自身の基地局識別子情報（ＣＳＧ  ＩＤ；Ｃｌｏｓｅｄ  Ｓｕｒｓｃｒｉｂｅｒ  Ｇｒｏｕｐ  ＩＤ）を含ませて前記メッセージをＭＭＥ（Ｍｏｂｉｌｉｔｙ  Ｍａｎａｇｅｍｅｎｔ  Ｅｎｔｉｔｙ）に伝達する。また、前記ＭＭＥが当該端末機のホワイトリストを含む加入者情報を有している場合、ＭＭＥは、格納された前記ホワイトリストに基づいて当該端末機が基地局に接続可能であるか否かを決定する。逆に、前記ＭＭＥが前記ホワイトリストを有していない場合、前記ＭＭＥは、ＨＨＳ（Ｈｏｍｅ  Ｓｕｂｓｃｒｉｂｅｒ  Ｓｅｒｖｅｒ）または他のＭＭＥに当該端末機のホワイトリストを要請し、前記ＭＭＥは、受信されたホワイトリストに基づいてＨｅＮＢへのＵＥのアクセス許可または拒絶を決定する。
【０００８】
本発明の実施態様によれば、端末機、基地局及びネットワークアクセス制御機（ｎｅｔｗｏｒｋ  ａｃｃｅｓｓ  ｃｏｎｔｒｏｌｌｅｒ）を備える移動通信システムにおいて端末の基地局接続方法は、端末機が接続要求メッセージを伝送する過程と、基地局が受信される前記端末機の接続要求メッセージに自身の基地局識別情報を含ませて伝送する過程と、ネットワークアクセス制御機が端末の接続可能な基地局識別情報のホワイトリストを具備しており、前記端末機の接続要求メッセージに含まれた基地局識別情報がホワイトリストに含まれていれば、前記端末機の前記基地局接続を許容する過程とで構成されることを特徴とする。
【０００９】
本発明の実施態様によれば、端末機、フェムト基地局及びＭＭＥを備えるＬＴＥ移動通信システムの接続制御方法は、端末機がＮＡＳ要求メッセージを伝送する過程と、フェムト基地局が受信される前記端末機のＮＡＳ要求メッセージにフェムト基地局のＣＳＧ  ＩＤを付加してＭＭＥに伝送する過程と、ＭＭＥが端末の接続可能なＣＳＧ  ＩＤのホワイトリストを具備しており、前記端末機のＮＡＳ要求メッセージに含まれたＣＳＧ  ＩＤがホワイトリストに含まれていれば、前記端末機の前記フェムト基地局接続を許容する過程とで構成されることを特徴とする。
【００１０】
本発明の実施態様によれば、移動通信システムにおいてネットワークアクセス制御機が端末の基地局接続を制御する方法は、ネットワークアクセス制御機が基地局から基地局識別情報であるＣＳＧ  ＩＤとともに端末で発生した端末の識別情報を含むＮＡＳ要求メッセージを受信する過程と、当該端末機のホワイトリストに前記ＣＳＧ  ＩＤが含まれていれば、前記端末機に当該基地局の接続許容を承認する接続制御過程とで構成されることを特徴とする。
【００１１】
本発明の実施態様によれば、ネットワークが端末の加入者情報によって、端末のＨｏｍｅ  ｅＮＢの接続許容可否を決定する装置は、基地局に端末機の識別情報を含む接続要求メッセージを伝送するユーザ端末と、前記端末から受信された前記接続要求メッセージとともに基地局のＣＳＧ  ＩＤを含んで伝送する前記基地局と、前記接続要求メッセージ及びＣＳＧ  ＩＤを受信し、前記端末の加入者情報に含まれたホワイトリストに基づいて当該ＵＥが基地局に接続許容または拒絶を決定するＭＭＥとで構成されることを特徴とする。
【発明の効果】
【００１２】
前述したように、本発明は、移動通信システムにおいてネットワークが端末の基地局接続を許容すべきかまたは拒否すべきかを決定する時、ネットワークアクセス制御機が当該端末のホワイトリストに基づいて端末の基地局接続許容可否を決定し、これにより、端末機の基地局接続を効率的に制御することができる。
【図面の簡単な説明】
【００１３】
【図１】端末がＨｅＮＢにアクセスを試みる時の動作を説明するシーケンスダイアグラムである。
【図２】本発明の実施例によってＳＡＥ／ＬＴＥシステムのＨｅＮＢへの端末のアクセス試みを許可または拒絶を決定する承認制御手続を説明するフローチャートである。
【図３】本発明の実施例によって端末がＨｅＮＢにアクセスを試みる時の動作を説明するシーケンスダイアグラムである。
【図４】本発明の実施例によってＳＡＥ／ＬＴＥシステムで端末がＨｅＮＢにＡｔｔａｃｈ  ｒｅｑｅｕｓｔを試みる時の動作手続を説明するシーケンスダイアグラムである。
【発明を実施するための形態】
【００１４】
以下、添付の図面を参照して本発明の好ましい実施例の動作原理を詳しく説明する。下記で、本発明を説明するにあたって、関連する公知の機能または構成に対する具体的な説明が本発明の要旨を不明瞭にするおそれがあると判断される場合には、その詳細な説明を省略する。また、後述する用語は、本発明での機能を考慮して定義された用語であって、これは、ユーザ、運用者の意図または慣例などによって変わることができる。したがって、その定義は、本明細書の全般にわたった内容に基づいて行われなければならない。
【００１５】
以下で説明する本発明の実施例において使用される“移動通信システム”という用語は、ＳＡＥ／ＬＴＥ（Ｓｙｓｔｅｍ  Ａｒｃｈｉｔｅｃｔｕｒｅ  Ｅｎｈａｎｃｅｍｅｎｔ／Ｌｏｎｇ  Ｔｅｒｍ  Ｅｖｏｌｕｔｉｏｎ）システム、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡシステムなどのようなシステムになることができる。本発明の実施例において使用される“基地局”という用語は、基地局または基地局ゲートウェイ（ｇａｔｅｗａｙ）になることができる。前記基地局は、フェムト基地局（ｆｅｍｔｏ  ｃｅｌｌ）、ＨｅＮＢ（Ｈｏｍｅ  ｅＮｏｄｅＢ、Ｈｏｍｅ  Ｎｏｄｅ  Ｂ（ＨＮＢ））、ｅＮＢ（ｅＮｏｄｅ  Ｂ、Ｎｏｄｅ  Ｂ（ＮＢ））などになることができる。また、“基地局ゲートウェイ”は、ＨＧＷ（（Ｈｏｍｅ  ｅＮｏｄｅ  Ｂ  ｇａｔｅｗａｙ、Ｈｏｍｅ  Ｎｏｄｅ  Ｂ  ｇａｔｅｗａｙ）、ＥＧＷ（ｅＮｏｄｅ  Ｂ  ｇａｔｅｗａｙ、Ｎｏｄｅ  Ｂ  ｇａｔｅｗａｙ）などになることができる。本発明の実施例において使用される“ネットワークアクセス制御機（ｎｅｔｗｏｒｋ  ａｃｃｅｓｓ  ｃｏｎｔｒｏｌｌｅｒ）”という用語は、ＭＭＥ（Ｍｏｂｉｌｉｔｙ  Ｍａｎａｇｅｍｅｎｔ  Ｅｎｔｉｔｙ）、ＭＳＣ（ｍｏｂｉｌｅ  ｓｗｉｔｃｈｉｎｇ  ｃｅｎｔｅｒ、ｍｏｂｉｌｅ  ｔｅｌｅｐｈｏｎｅ  ｓｗｉｔｃｈｉｎｇ  ｏｆｆｉｃｅ）、ＳＧＳＮ（Ｓｅｒｖｉｎｇ  Ｇａｔｅｗａｙ  Ｓｅｒｖｉｃｅ  Ｎｅｔｗｏｒｋ）などになることができる。本発明の実施例において使用される“ユーザ情報格納部”という用語は、ＨＳＳ（Ｈｏｍｅ  Ｓｕｂｓｃｒｉｂｅｒ  Ｓｅｒｖｅｒ）、ＨＬＲ（Ｈｏｍｅ  Ｌｏｃａｔｉｏｎ  Ｒｅｇｉｓｔｅｒ）になることができる。
【００１６】
以下で説明する本発明の実施例において、前記移動通信システムは、ＳＡＥ／ＬＴＥシステム、基地局はＨｅＮＢ／ＨＧＷ、ネットワークアクセス制御機はＭＭＥ、ユーザ情報格納部はＨＳＳである場合を仮定して説明する。すなわち、本発明の実施例では、ＬＴＥシステムの場合を仮定して説明され、他の方式の移動通信システムにおいて本発明の実施例による端末機の基地局接続制御方法は、同一の方法で行うことができる。
【００１７】
また、本発明の実施例において、前記端末が基地局接続を要求する時、ＮＡＳ要求メッセージ（ＮＡＳ（Ｎｏｎ  Ａｃｃｅｓｓ  Ｓｔｒａｔｕｍ）ｒｅｑｕｅｓｔ  ｍｅｓｓａｇｅ）が発生する。例えば、ＨｅＮＢは、常にキャリア（ｒａｄｉｏ  ｃａｒｒｉｅｒ）を通じて自身の基地局識別子（ｂａｓｅ  ｓｔａｉｏｎ  ｉｄｅｎｔｉｆｅｒ）をブロードキャストする。また、前記端末は、データを伝送するか、アイドルモードでネットワークからページングメッセージを受信するか、ハンドオーバー（ｈａｎｄｏｖｅｒ）が発生するか、または位置更新（ｌｏｃａｔｉｏｎ  ｕｐｄａｔｅ）が発生する場合、端末は、ＮＡＳ要請メッセージを利用してネットワークアクセス制御機に基地局接続を要求することができる。このような場合、前記基地局は、前記ＮＡＳ要求メッセージに自身の識別子を含んでネットワークアクセス制御機に伝送する。ここで、前記基地局識別子は、ＣＳＧ  ＩＤ（Ｃｌｏｓｅｄ  Ｓｕｂｓｃｒｉｂｅｒ  Ｇｒｏｕｐ  Ｉｄｅｎｔｉｔｙ）になることができる。前記ネットワークアクセス制御機は、各端末別に接続可能な基地局識別子リスト（ａｌｌｏｗｅｄ  ＣＳＧ  ｌｉｓｔ））を具備することができ、本発明の実施例では、前記接続可能な基地局識別子リストをホワイトリストと称する。この時、前記ネットワークアクセス制御機は、自身がホワイトリストを有していない場合、ユーザ情報格納部または以前に接続されたネットワークのネットワークアクセス制御機を介して前記ホワイトリストを伝達されることができる。
【００１８】
本発明は、ＳＡＥ／ＬＴＥ（Ｓｙｓｔｅｍ  Ａｒｃｈｉｔｅｃｔｕｒｅ  Ｅｎｈａｎｃｅｍｅｎｔ／Ｌｏｎｇ  Ｔｅｒｍ  Ｅｖｏｌｕｔｉｏｎ）システムにおいて、コアネットワークエンティティ（Ｃｏｒｅ  Ｎｅｔｗｏｒｋ  Ｅｎｔｉｔｙ）であるＭＭＥ（Ｍｏｂｉｌｉｔｙ  Ｍａｎａｇｅｍｅｎｔ  Ｅｎｔｉｔｙ）がＵＥの加入者情報によってＵＥのＨｅＮＢの接続を許容すべきか拒否すべきかを決定する方案に関するものである。
【００１９】
ＳＡＥ／ＬＴＥシステムにおいてＨｅＮＢ  ＵＥは、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）にホワイトリスト（Ｗｈｉｔｅｌｉｓｔ）を格納している。前記ホワイトリスト（ｗｈｉｔｅｌｉｓｔ）は、ＵＥが接続可能なＣＳＧ識別子（Ｃｌｏｓｅｄ  Ｓｕｂｓｃｒｉｂｅｒ  Ｇｒｏｕｐ  Ｉｄｅｎｔｉｔｙ）リストであり、ＣＳＧ識別子（以下、ＣＳＧ  ＩＤという）は、ＨｅＮＢに割り当てられ、ＨｅＮＢを区別するのに使用される。すなわち、ＵＥは、ｗｈｉｔｅｌｉｓｔに含まれたＣＳＧ  ＩＤを有するＨｅＮＢにのみ接続が許容される。例外的な場合、例えば、ユーザによってＨｅＮＢ基地局が選択される場合、端末は、ホワイトリストにないＣＳＧ  ＩＤのＨｅＮＢへのアクセスを試みることができる。しかし、ＵＥが誤作動をするか、または故意に許諾されないＨｅＮＢへの接続を試みる場合、これに対処するために許可制御（ａｄｍｉｓｓｉｏｎ  ｃｏｎｔｒｏｌ）が必要である。
【００２０】
本発明では、前記許可制御を決定するネットワークエンティティとしてＭＭＥ（Ｍｏｂｉｌｉｔｙ  Ｍａｎａｇｅｍｅｎｔ  Ｅｎｔｉｔｙ）を提案する。ＨｅＮＢは、ＵＥからの接続要請メッセージを受信すれば、ＭＭＥにＮＡＳ接続要請メッセージとともに自身のＣＳＧ  ＩＤを含んで伝達する。また、ＭＭＥは、ＵＥの加入者情報を分析し、ＮＡＳ接続要請メッセージを伝達したＨｅＮＢに対してＵＥの接続承認または拒絶を決定する。すなわち、前記ＭＭＥが当該ＵＥのｗｈｉｔｅｌｉｓｔを含む加入者情報を有している場合、ＭＭＥは、前記ｗｈｉｔｅｌｉｓｔに基づいて当該ＵＥがＨｅＮＢに接続可能であるか否かを決定する。ＭＭＥが加入者情報を有していない場合、ＭＭＥは、ＨＳＳ（Ｈｏｍｅ  Ｓｕｂｓｃｒｉｂｅｒ  Ｓｅｒｖｅｒ）または他のＭＭＥ（ａｎｏｔｈｅｒ  ＭＭＥ）に当該ＵＥの加入者情報を要請し、接続許容可否を決定する。
【００２１】
また、本発明において使用されるＨｏｍｅ  ＧＷ（以下、ＨＧＷという）は、ＨＮＢとコアネットワーク（Ｃｏｒｅ  Ｎｅｔｗｏｒｋ）との間でＨＮＢの一部機能を有することができるエンティティである。前記一部の機能は、ユーザ認証及びユーザ位置登録などになることができる。言い換えれば、ネットワーク具現シナリオによって、ＨＮＢの機能のうち一部をＨＧＷと分けて具現することができる。したがって、本発明においてＨＮＢは、ＨＮＢ／ＨＧＷと機能的に同じ意味を有するものと規定する。
【００２２】
図２は、本発明の実施例によってＭＭＥでＵＥの接続承認及び拒絶を決定する動作を示す手順図である。
図２を参照すれば、端末機は、基地局接続を必要とする時、ＮＡＳメッセージを生成してＨｅＮＢ／ＨＧＷに伝送し、前記ＨｅＮＢ／ＨＧＷは、前記ＮＡＳメッセージに自身のＣＳＧ  ＩＤを含ませて前記ＭＭＥに伝送する。すると、前記ＭＭＥは、段階２０２で、ＨｅＮＢ／ＨＧＷから前記ＣＳＧ  ＩＤが含まれたＮＡＳメッセージを受信する。ここで、前記ＨＧＷは、ＨｅＮＢとコアネットワーク（Ｃｏｒｅ  Ｎｅｔｗｏｒｋ）との間にＨｅＮＢの一部機能を有することができるエンティティである。ＨｅＮＢ／ＨＧＷは、図１のＨＮＢ／ＨＧＷと同一に適用される。また、前記ＮＡＳ（Ｎｏｎ  Ａｃｃｅｓｓ  Ｓｔｒａｔｕｍ）メッセージは、Ａｔｔａｃｈ  ｒｅｑｕｅｓｔ  ｍｅｓｓａｇｅ、ＴＡＵ  ｒｅｑｕｅｓｔ  ｍｅｓｓａｇｅ、Ｓｅｒｖｉｃｅ  Ｒｅｑｕｅｓｔ  ｍｅｓｓａｇｅなどになることができる。
【００２３】
前記ＮＡＳメッセージとＣＳＧ  ＩＤを受信すれば、ＭＭＥは、段階２０４で、前記ＵＥの加入者情報（ｗｈｉｔｅｌｉｓｔを含むｓｕｂｓｃｒｉｐｔｉｏｎ  ｄａｔａ）が既に格納されているか否かを確認する。本発明の実施例において、前記ＵＥの加入者情報は、前記ＵＥが接続することができる基地局の識別子情報を有しているホワイトリストを含むことができる。この時、ＵＥの加入者情報（ｗｈｉｔｅｌｉｓｔを含むｓｕｂｓｃｒｉｐｔｉｏｎ  ｄａｔａ）がＭＭＥに格納されていない場合（すなわち、ＭＭＥがホワイトリストを有していない場合）、ＭＭＥは、段階２０４で、これを感知し、段階２０６で、ＨＳＳまたは他のＭＭＥに当該ＵＥの加入者情報（ｗｈｉｔｅｌｉｓｔを含むｓｕｂｓｃｒｉｐｔｉｏｎ  ｄａｔａ）を要請する。その後、前記ＨＳＳまたは他のＭＭＥが加入者情報（ｗｈｉｔｅｌｉｓｔを含むｓｕｂｓｃｒｉｐｔｉｏｎ  ｄａｔａ）を伝送すれば、前記ＭＭＥは、段階２０８で、これを受信する。前述したように、ＭＭＥは、ＮＡＳメッセージを受信すれば、ＵＥの加入者情報（ｗｈｉｔｅｌｉｓｔを含むｓｕｂｓｃｒｉｐｔｉｏｎ  ｄａｔａ）を既に有しているか否かを検査し、当該ＵＥの加入者情報（ｗｈｉｔｅｌｉｓｔを含むｓｕｂｓｃｒｉｐｔｉｏｎ  ｄａｔａ）を有していない場合には、ＨＳＳから当該ＵＥ加入者情報（ｗｈｉｔｅｌｉｓｔを含むｓｕｂｓｃｒｉｐｔｉｏｎ  ｄａｔａ）を要請する。前記段階２０８の実行後、または前記段階２０４で、前記ＵＥの加入者情報が既に存在する場合であると判断されれば、前記ＭＭＥは、段階２１０に進行し、前記段階２０２で受信されたＮＡＳメッセージとともに伝達されたＣＳＧ  ＩＤがＵＥのホワイトリストに含まれているか否かを確認する。この時、受信したＣＳＧ  ＩＤがＵＥのホワイトリストに含まれていれば、ＭＭＥは、段階２１２で、ＵＥに接続許容を通知するＮＡＳメッセージ（ＮＡＳ  ａｃｃｅｐｔ  ｍｅｓｓａｇｅ）を伝送する。逆に、受信したＣＳＧ  ＩＤがＵＥのホワイトリストに含まれていなければ、ＭＭＥは、段階２１４で、ＵＥに接続拒否を通知するＮＡＳ拒絶メッセージ（ＮＡＳ  ｒｅｊｅｃｔ  ｍｅｓｓａｇｅ）を伝送する。図３は、本発明の実施例によってＵＥの接続要求を許可制御するシステムの動作手続を説明するための図である。
【００２４】
図３を参照すれば、ＵＥは、段階３０８で、自身のＩＭＳＩを含んでＮＡＳ  Ｒｅｑｕｅｓｔを生成し、ＨｅＮＢ／ＨＧＷに伝送する。この時、端末がネットワークから臨時識別子（ｔｅｍｐｏｒａｒｙ  ｉｄｅｎｔｉｆｉｅｒ）に割り当てられていれば、前記臨時識別子は、ＩＭＳＩの代わりに、ＮＡＳ要請メッセージ内に含まれることができる。すると、ＨｅＮＢ／ＨＧＷは、段階３１０で、前記ＵＥから受信されたＮＡＳ  Ｒｅｑｕｅｓｔメッセージに自身のＣＳＧ  ＩＤを含んでＭＭＥに伝送する。前記ＮＡＳ  ｒｅｑｕｅｓｔ  ｍｅｓｓａｇｅを受信すれば、前記ＭＭＥは、図２のような手続を実行しながら前記ＵＥの接続を許可または拒絶する決定をする。すなわち、前記接続を要請したＵＥの加入者情報（ｗｈｉｔｅｌｉｓｔ）を既に格納しているか否かを確認し、加入者情報（ｗｈｉｔｅｌｉｓｔを含むｓｕｂｓｃｒｉｐｔｉｏｎ  ｄａｔａ）を有していなければ、ＨＳＳまたは他のＭＭＥ（図示せず）を通じて該当ＵＥの加入者情報を獲得する。すなわち、該当する端末機のホワイトリストを有していなければ、前記ＭＭＥは、段階３１２で、前記ＨＳＳまたは他のＭＭＥ（図示せず）に加入者情報（ｗｈｉｔｅｌｉｓｔを含むｓｕｂｓｃｒｉｐｔｉｏｎ  ｄａｔａ）を要請（Ｒｅｑｕｅｓｔ  Ｓｕｂｓｃｒｉｐｔｉｏｎ  ｄａｔａ）する。ＨＳＳは、段階３１４で、当該ＵＥのｗｈｉｔｅｌｉｓｔを含む加入者情報の応答（Ｒｅｓｐｏｎｓｅ  Ｓｕｂｓｃｒｉｐｔｉｏｎ  ｄａｔａ）メッセージを受信する。この時、ＭＭＥは、段階３１８で、必要に応じて加入者データの要求に対する応答（Ｒｅｓｐｏｎｓｅ  Ｓｕｂｓｃｒｉｐｔｉｏｎ  ｄａｔａ  ａｃｋ）過程を通じてＨＳＳまたは他のＭＭＥに加入者情報を受信したという応答信号を送ることもできる。
【００２５】
前述のように、接続を要請したＵＥのｗｈｉｔｅｌｉｓｔを含む加入者情報を獲得すれば、前記ＭＭＥは、段階３１６で、ＵＥのｗｈｉｔｅｌｉｓｔに基づいて接続を要請したＵＥの接続を許可または拒絶することを決定する。すなわち、受信されたＮＡＳメッセージとともに伝達したＣＳＧ  ＩＤがＵＥのｗｈｉｔｅｌｉｓｔに含まれていれば、ＭＭＥは、段階３２０で、ＨｅＮＢ／ＨＧＷへの接続を許可するＮＡＳ許容（ＮＡＳ  Ａｃｃｅｐｔ）メッセージを伝送し、前記ＨｅＮＢ／ＨＧＷは、段階３２２で、前記ＵＥに接続許容を通知するＮＡＳメッセージ（ＮＡＳ  Ａｃｃｅｐｔ）を伝送する。しかし、受信したＣＳＧ  ＩＤがＵＥのｗｈｉｔｅｌｉｓｔに含まれていなければ、ＭＭＥは、段階３２４で、前記ＨｅＮＢ／ＨＧＷに接続を拒否するＮＡＳ拒否（ＮＡＳ  ｒｅｊｅｃｔ）メッセージを伝送し、前記ＨｅＮＢ／ＨＧＷは、段階３２６で、前記ＵＥに接続拒否を通知するＮＡＳメッセージ（ＮＡＳ  ｒｅｊｅｃｔ）を伝送する。
【００２６】
図４は、本発明の一実施例として図３の許可制御過程をＳＡＥ／ＬＴＥのＡｔｔａｃｈ過程に適用した図である。前記説明される過程（Ａｔｔａｃｈ過程）は、ＵＥがネットワークに最初接続するために、アタッチ要請メッセージ（ａｔｔａｃｈ  ｒｅｑｅｕｓｔ  ｍｅｓｓａｇｅ）、ＴＡＵ（Ｔｒａｃｋｉｎｇ  Ａｒｅａ  Ｕｐｄａｔｅ）要請メッセージまたはサービス要求メッセージ（ｓｅｒｖｉｃｅ  ｒｅｑｕｅｓｔ  ｍｅｓｓａｇｅ）を伝送する過程である。本実施例では、Ｂｅａｒｅｒ設定過程のように、本発明と直接的な関連がない過程は省略されたことを明らかにする。
【００２７】
図４を参照すれば、ＵＥは、段階４０８で、ＨｅＮＢ／ＨＧＷにＩＭＳＩまたはｏｌｄ  ＧＵＴＩ（Ｇｌｏｂａｌ  Ｕｎｉｑｕｅ  Ｔｅｍｐｏｒａｒｙ  Ｉｄｅｎｔｉｔｙ）が含まれたＡｔｔａｃｈメッセージを伝送する。すると、ＨｅＮＢ／ＨＧＷは、段階４１０で、前記ＵＥから受信されたＡｔｔａｃｈメッセージとともに自身のＣＳＧ  ＩＤをＭＭＥに伝送する。Ａｔｔａｃｈメッセージにｏｌｄ  ＧＵＴＩが含まれている場合、ＭＭＥは、段階４１２で、前記ＵＥに識別子情報を要求し（Ｉｄｅｎｔｉｔｙ  ｒｅｑｅｕｓｔ）、ＵＥは、段階４１４で、前記ＭＭＥ要請によってＩＭＳＩを含む識別子情報を応答（Ｉｄｅｎｔｉｔｙ  ｒｅｓｐｏｎｓｅ）する。前記段階４１２及び段階４１４は、従来のＡｔｔａｃｈ過程の一部であって、ＭＭＥがＩＭＳＩ情報を有していない場合、ＵＥにＩＭＳＩを要請する過程である。過程４１６は、ＵＥを認証する過程であり、本発明において詳細な説明は省略する。
【００２８】
前記Ａｔｔａｃｈメッセージを受けたＭＭＥは、段階４１８で、ＨＳＳにＵｐｄａｔｅ  Ｌｏｃａｔｉｏｎメッセージを送る。すると、ＨＳＳは、段階４２０で、ＭＭＥに送るＩｎｓｅｒｔ  Ｓｕｂｓｃｒｉｂｅｒ  ＤａｔａメッセージにＵＥのｗｈｉｔｅｌｉｓｔを含んで伝送する。ＭＭＥは、段階４２２で、ＨＳＳから受信された当該ＵＥのｗｈｉｔｅｌｉｓｔに前記受信されたＣＳＧ  ＩＤが含まれているか否かを確認する。本実施例では、ｗｈｉｔｅｌｉｓｔが含まれている場合を例示して説明する。したがって、前記ｗｈｉｔｅｌｉｓｔにＣＳＧ  ＩＤが含まれていれば、前記ＭＭＥは、段階４２４で、Ｉｎｓｅｒｔ  Ｓｕｂｓｃｒｉｂｅｒ  ＤａｔａのＡＣＫメッセージを生成してＨＳＳに伝送し、ＨＳＳは、段階４２６で、Ｕｐｄａｔｅ  Ｌｏｃａｔｉｏｎ  ＡＣＫメッセージを生成してＭＭＥに伝送する。前記段階４２０及び段階４２４を行わずに、前記ｓｕｂｓｃｒｉｂｅｒ  ｄａｔａがｕｐｄａｔｅ  ｌｏｃａｔｉｏｎ  ＡＣＫメッセージに伝達されることは意味がない。この場合、段階４２２は、段階４２６の実行後に発生することができる。その後、前記ＭＭＥは、段階４２８で、アタッチ許容結果（Ａｔｔａｃｈ  ａｃｃｅｐｔメッセージ）をＨｅＮＢ／ＨＧＷに伝送し、ＨｅＮＢ／ＨＧＷは、段階４３０で、これ（Ａｔｔａｃｈ  ａｃｃｅｐｔメッセージ）をＵＥに通知する。その後、前記ＵＥ、ＨｅＮＢ／ＨＧＷ、ＭＭＥ、ＨＳＳは、段階４３２を実行しながらＡｔｔａｃｈ過程を続いて実行する。
【００２９】
本発明で言及されたＮＡＳメッセージは、同じ機能を有する他のメッセージに変更されて使用されることができることを明らかにする。
前述したように、本発明は、ＳＡＥ／ＬＴＥ（Ｓｙｓｔｅｍ  Ａｒｃｈｉｔｅｃｔｕｒｅ  Ｅｎｈａｎｃｅｍｅｎｔ／Ｌｏｎｇ  Ｔｅｒｍ  Ｅｖｏｌｕｔｉｏｎ）システムにおいて、ネットワークが端末のｓｕｂｓｃｒｉｐｔｉｏｎ情報によって、端末のＨｏｍｅ  ｅＮＢの接続を許容するかまたは拒否する効率的な方法を提案する。本発明の実施例では、Ｈｏｍｅ  ｅＮＢまたはＨｏｍｅ  ｅＮＢ  ＧａｔｅｗａｙがＵＥから接続を試みるメッセージを受信すれば、Ｈｏｍｅ  ｅＮＢまたはＨｏｍｅ  ｅＮＢ  Ｇａｔｅｗａｙは、接続要求メッセージとともに自身のＣＳＧ  ＩＤをＭＭＥに伝達する。すると、ＭＭＥが当該ＵＥのｗｈｉｔｅｌｉｓｔを含むｓｕｂｓｃｒｉｐｔｉｏｎ  ｄａｔａを有している場合、ｗｈｉｔｅｌｉｓｔに基づいて当該ＵＥがＨｏｍｅ  ｅＮＢに接続可能であるか否かを決定する。この時、ＭＭＥがｓｕｂｓｃｒｉｐｔｉｏｎ情報を有していない場合、ＭＭＥは、ＨＳＳに当該ＵＥのｓｕｂｓｃｒｉｐｔｉｏｎ  ｄａｔａを要請し、接続許容可否を決定する。
【００３０】
前述したように、本発明は、移動通信システムでネットワークが端末の基地局接続を許容すべきか拒否すべきかを決定する時、ネットワークアクセス制御機が当該端末のホワイトリストに基づいて端末の基地局接続許容可否を決定し、これにより、端末機の基地局接続を効率的に制御することができる。
【００３１】
前述したような本発明の実施例による方法は、多様なコンピュータ手段を用いて実行されることができるプログラム命令形態で具現され、コンピュータで読み取り可能な記録媒体に記録されることができる。この時、前記コンピュータで読み取り可能な記録媒体は、プログラム命令、データファイル、データ構造などを単独で、または組み合わせて含むことができる。一方、記録媒体に記録されるプログラム命令は、本発明のために特別に設計され構成されたものであるか、またはコンピュータソフトウェア当業者に公知されて使用可能なものであってもよい。前記コンピュータで読み取り可能な記録媒体としては、ハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記録媒体（ＯｐｔｉｃａｌＭｅｄｉａ）、フロップチカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ、フラッシュメモリなどのようなプログラム命令を格納し実行するように特別に構成されたハードウェア装置が含まれる。
【００３２】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【００３３】
３００，４００  端末（ＵＥ）
３０２，４０２  ホームｅＮｏｄｅ  Ｂ／ホームゲートウェイ（ＨｅＮＢ／ＨＧＷ）
３０４，４０４  移動管理局（ＭＭＥ）
３０６，４０６  ホーム加入者サーバ（ＨＳＳ）
【図１】
0005756755.tif 000002
【図２】
0005756755.tif 000003
【図３】
0005756755.tif 000004
【図４】
0005756755.tif 000005